(57)【要約】【課題】使用時以外にレーザー光が照射されることがないレーザーポインター付水準器を提供する。【解決手段】底面４に基準面５を有する本体２と、この本体２に設けられた水平度確知部１４と、本体２に設けられレーザー光を照射するレーザー光照射部３３と、レーザー光の照射をオン・オフするスイッチ６１とを備えたレーザーポインター付水平器１において、スイッチ６１は、基準面５の対象面への当接状態でレーザー光の照射をオンにすると共に、基準面５の対象面への非当接状態でレーザー光の照射をオフにする。また、スイッチ６１は、対象面１０に当接したことを検知する当接操作部材５３を備えるから、使用時に本体２の基準面５を対象面１０に当接すると、レーザー光が照射され、対象面１０から本体２を離すと、レーザー光の照射が止まるため、レーザー光が不用意に照射されることがなくなる。【選択図】図１
2019174213.tif 000002
【特許請求の範囲】
【請求項１】
底面に基準部を有する本体と、この本体に設けられた水平度確知部と、前記本体に設けられレーザー光を照射するレーザー光照射部と、前記レーザー光の照射をオン・オフするスイッチとを備えたレーザーポインター付水平器において、前記スイッチは、前記基準部の対象部への当接状態で前記レーザー光の照射をオンにすると共に、前記基準部の前記対象部への非当接状態で前記レーザー光の照射をオフにすることを特徴とするレーザーポインター付水平器。
【請求項２】
前記スイッチは、前記基準部が前記対象部に当接したことを検知する検知手段を備えることを特徴とする請求項１記載のレーザーポインター付水平器。
【請求項３】
前記検知手段は、前記本体に設けられ、前記対象部に当接する当接操作部材を備えることを特徴とする請求項２記載のレーザーポインター付水平器。
【請求項４】
前記当接操作部材は、前記基準部から外側に突出可能に設けられると共に、前記基準部を前記対象部に載置した状態で没するように構成されていることを特徴とする請求項３記載のレーザーポインター付水平器。
【請求項５】
前記底面に前記当接操作部材を挿通する挿通孔を設け、前記当接操作部材が上側から底面側に向かって幅狭に形成されていることを特徴とする請求項３又は４記載のレーザーポインター付水平器。
【請求項６】
前記底面に前記当接操作部材を挿通する挿通孔を設け、前記挿通孔が上側から底面側に向かって幅広に形成されていることを特徴とする請求項３又は４記載のレーザーポインター付水平器。
【請求項７】
前記底面に前記当接操作部材を挿通する挿通孔を設け、前記挿通孔の底面側が上側から底面側に向かって幅狭に形成されていることを特徴とする請求項５記載のレーザーポインター付水平器。
【請求項８】
前記本体の前記底面の幅方向両側に前記基準部を設けると共に、これら両側の基準部の間に該基準部の長さ方向の基準部側凹部を設け、この基準部側凹部を設けた前記底面に前記当接操作部材を配置し、この当接操作部材の先端中央に前記基準部側凹部に対応する凹部を設けたことを特徴とする請求項３〜７のいずれか１項に記載のレーザーポインター付水平器。
【発明の詳細な説明】
【技術分野】
【０００１】
本発明は、レーザーポインター付水平器に関する。
【背景技術】
【０００２】
従来から水平器にレーザー光を照射する機能を搭載して水平位置を指示するレーザーポインター付水平器が知られており、これにより水平器の設置された面と平行な向きの遠方の水平位置を指示することが可能となる。
【０００３】
そして、前記水平器としては、レーザー発振器と、レーザーの出射方向と垂直な面内にある円形の気泡式水準器とを有し、前記レーザー発振器には、レーザー光線をオンオフするためのスライド式のスイッチを設けたレーザー付き水平器（例えば特許文献１）や、ケース体の側面に設けたスイッチを入れると光線が発光するレーザー光線携帯水平機（例えば特許文献２）や、電池箱上にスイッチを設け、このスイッチが光線を投射するか否かの制御に用いられる水準器（例えば特許文献３）や、上面中央に水平状態を計測する水平計測部を有し、一端側の端面にはレーザー光線の照射をオン・オフさせる電源スイッチを設けたレーザー水準器（例えば特許文献４）などがある。
【先行技術文献】
【特許文献】
【０００４】
【特許文献１】実用新案登録第３０４９０３７号公報
【特許文献２】特開平９−５０７９号公報
【特許文献３】実用新案登録第３０４８５１９号公報
【特許文献４】特開２００３−１４８９５７号公報
【発明の開示】
【発明が解決しようとする課題】
【０００５】
上記従来技術の水平器では、いずれもスイッチをオンにするとレーザーが照射され、スイッチをオフにする消灯する。このためスイッチがオンの時に持ち上げてもレーザーが連続して照射されるため、意図せずレーザー光が人などに当たる可能性があり、取扱いに注意を要するという問題がある。
【０００６】
解決しようとする課題は、使用時以外にレーザー光が照射されることがないレーザーポインター付水準器を提供することを目的とする。
【課題を解決するための手段】
【０００７】
請求項１の発明は、底面に基準部を有する本体と、この本体に設けられた水平度確知部と、前記本体に設けられレーザー光を照射するレーザー光照射部と、前記レーザー光の照射をオン・オフするスイッチとを備えたレーザーポインター付水平器において、前記スイッチは、前記基準部の対象部への当接状態で前記レーザー光の照射をオンにすると共に、前記基準部の前記対象部への非当接状態で前記レーザー光の照射をオフにすることを特徴とする。
【０００８】
請求項２の発明は、前記スイッチは、前記基準部が前記対象部に当接したことを検知する検知手段を備えることを特徴とする。
【０００９】
請求項３の発明は、前記検知手段は、前記本体に設けられ、前記対象部に当接する当接操作部材を備えることを特徴とする。
【００１０】
請求項４の発明は、前記当接操作部材は、前記基準部から外側に突出可能に設けられると共に、前記基準部を前記対象部に載置した状態で没するように構成されていることを特徴とする。
【００１１】
請求項５の発明は、前記底面に前記当接操作部材を挿通する挿通孔を設け、前記当接操作部材が上側から底面側に向かって幅狭に形成されていることを特徴とする。
【００１２】
請求項６の発明は、前記底面に前記当接操作部材を挿通する挿通孔を設け、前記挿通孔が上側から底面側に向かって幅広に形成されていることを特徴とする。
【００１３】
請求項７の発明は、前記底面に前記当接操作部材を挿通する挿通孔を設け、前記挿通孔の底面側が上側から底面側に向かって幅狭に形成されていることを特徴とする。
【００１４】
請求項８の発明は、前記本体の前記底面の幅方向両側に前記基準部を設けると共に、これら両側の基準部の間に該基準部の長さ方向の基準部側凹部を設け、この基準部側凹部を設けた前記底面に前記当接操作部材を配置し、この当接操作部材の先端中央に前記基準部側凹部に対応する凹部を設けたことを特徴とする。
【発明の効果】
【００１５】
請求項１の構成によれば、使用時に本体の基準部を対象部に当接すると、レーザー光が照射され、対象部から本体を離すと、レーザー光の照射が止まるため、レーザー光が不用意に照射されることがなくなる。
【００１６】
請求項２の構成によれば、検知手段により当接状態と非当接状態を検知してレーザー光のオン・オフを行うことができる。
【００１７】
請求項３の構成によれば、当接操作部材が対象部に当接することにより当接状態と非当接状態を検知してレーザー光のオン・オフを行うことができる。
【００１８】
請求項４の構成によれば、本体を対象物に載置すると当接操作部材が没して当接状態を検知し、本体を持ち上げると当接操作部材の先端が出て非当接状態を検知することができる。
【００１９】
請求項５の構成によれば、当接操作部材は上側から底面側に向かって幅広に形成されているため、挿通孔に砂などの異物が入り難くなる。
【００２０】
請求項６の構成によれば、挿通孔に砂などの異物が入り難くなる。
【００２１】
請求項７の構成によれば、一層、挿通孔に砂などの異物が入り難くなる。
【００２２】
請求項８の構成によれば、円弧状などの対象部に安定して使用することができる。
【図面の簡単な説明】
【００２３】
【図１】本発明の実施例１を示す側面図である。
【図２】同上、底面図である。
【図３】同上、ケース蓋を取り外した状態の前側の側面図である。
【図４】同上、基準部に載置した状態の正面図である。
【図５】同上、基準部から持ち上げた状態の正面図である。
【図６】同上、斜視図である。
【図７】同上、当接操作部材と取付枠体の分解斜視図である。
【図８】同上、当接操作部材周りの前後方向の拡大断面図である。
【図９】同上、当接操作部材周りの左右方向の拡大正面図である。
【図１０】本発明の実施例２を示す要部の一部切欠き側面図である。
【図１１】本発明の実施例３を示す側面図である。
【発明を実施するための形態】
【００２４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２５】
本発明の実施例１を図１〜図９を参照して説明する。水平器１は長尺で板状の本体２を有する。この本体２は、左右を厚さ方向とし、上下を幅方向とし、前後方向に長く形成されており、上面３と底面４を有し、この底面４の左右に基準部たる基準面５，５を有し、厚さ方向の両側に左右の側面６，６を有する。また、本体２は、アルミニウム又はアルミニウム合金などの金属からなる角筒状の本体中央部７と、この本体中央部７の前後を塞いで一体に設けられた前面部材８及び後面部材９とからなり、これら前面部材８及び後面部材９は合成樹脂などからなる。
【００２６】
前記本体２の前記上面３の前後方向中央には、下部が開口した断面コ字形の透明カバー１１を設け、この透明カバー１１は上面部１１Ａと左右の側面部１１Ｂ，１１Ｂを有し、その透明カバー１１内に位置して前記本体２内には、透明な気泡管１２の液中に封入した気泡１３の移動により水平度を確知する水平度確知部１４が設けられている。この水平度確知部１４の前記気泡管１２は前後方向に配置され、その水平度確知部１４により前記基準面５の水平度を確知できる。
【００２７】
また、前記本体２の前記底面４の左右に前記基準面５，５が設けられ、これら基準面５，５の間で底面４の幅方向中央に、基準部側凹部１７を設け、この基準部側凹部１７は、挟角が鈍角な左右の斜辺部１８，１８を有し、底面４の全長に形成されている。
【００２８】
従って、対象部たる対象面１０が平面の場合は、左右の基準面５，５が対象面１０に面接触状態で当接し、円筒の外周面などの対象面１０Ａが円弧状の場合は、両基準面５，５と両斜辺部１８，１８の両角部１９，１９が対象面１０Ａに当接する。
【００２９】
前記本体中央部７の前後一方である後側には、上下方向の気泡管１２を有する水平度確知部１４Ａが内蔵され、この水平度確知部１４Ａにより、本体２を縦向きにした場合の水平度を確知でき、縦方向の前記水平度確知部１４Ａに対応して左右の側面６，６には、円形の窓部１５，１５が設けられ、これら窓部１５，１５には透明の板材１５Ａ，１５Ａが設けられている。
【００３０】
前記前面部材８の前面２１には、上部に電池ケース２２の開口部２３が設けられ、この開口部２３にケース蓋２４が着脱可能に設けられている。尚、前記電池ケース２２は、筒状をなし、前記前面部材８に一体に設けられ、本体２に内蔵されている。
【００３１】
また、前記開口部２３には雌螺子部２３Ｍが設けられており、前記ケース蓋２４は、前記雌螺子部２３Ｍに螺合する雄螺子部２５と、この雄螺子部２５の先端に設けた径大な摘み蓋部２６を一体に有し、この摘み蓋部２６の外周には滑り止め部たる凹凸部２７が形成されている。
【００３２】
そして、雄螺子部２５にリング状のパッキン材２８を外装した状態で、雌螺子部２３Ｍに雄螺子部２５を螺合して開口部２３を摘み蓋部２６により閉塞することができる。
【００３３】
前記前面部材８の前記前面２１には、高さ方向中央に主電源スイッチ３１を設け、この主電源スイッチ３１は、スライド式であって、左右方向一方にスライドすると電源をオン、他方にスライドすると電源をオフに切り替えるものである。尚、電源は前記電池ケース２２内の電池（図示せず）である。
【００３４】
前記前面部材８の前記前面２１には、下部にレーザー光Ｒが通るレーザー光通路３２を開設し、この後方で前記本体２にレーザー光照射部３３を内蔵している。このレーザー光照射部３３は前記電池を電源としてレーザー光Ｒを照射するものである。
【００３５】
また、前記前面部材８の前記前面２１には、前記開口部２３と主電源スイッチ３１の間に上向き斜めの上段部３６を設けると共に、前記主電源スイッチ３１とレーザー光通路３２との間に上向き斜めの下段部３７を設け、これら上，下段部３６，３７により、前面２１の下部が上部より前側に突出するように構成している。これにより、開口部２３位置の前面２１と取付状態の摘み蓋部２６の外面とを結ぶ仮想線上又はこの仮想線より内側に主電源スイッチ３１の先端３１Ｓが位置し、使用中に不用意に主電源スイッチ３１に接触することを防止できる。尚、前記仮想線は略垂直方向をなす。
【００３６】
前記後面部材９には、上下方向中央で左右に貫通する貫通孔４１が穿設されている。従って、この貫通孔４１に紐状体４２の一端を連結すると共に、紐状体４２の他端を使用者のベルト（図示せず）などに連結することができ、また、縦壁に設けた横方向の釘などの吊り具に貫通孔４１を引っ掛けて水平器１を吊った状態で保管したりすることができる。
【００３７】
前記本体２の前記底面４の前後方向中央には、側面視でコ字状の切欠き部５１を設け、この切欠き部５１に合成樹脂製の取付枠体５２を取り付けており、この取付枠体５２により合成樹脂製の当接操作部材５３が本体２に配置される。
【００３８】
前記取付枠体５２は、枠体底面５５と、左，右の側面５６，５６と、前，後の側面５７，５７とを有し、その枠体底面５５には、前記左右の基準面５，５と同形の左右の枠体基準面５Ａ，５Ａと、前記基準部側凹部１７と同形の凹部１７Ａが設けられている。また、前記切欠き部５１に前記取付枠体５２を取り付けた状態で、切欠き部５１が前記枠体底面５５と左，右の側面５６，５６により塞がれ、さらに、基準面５と枠体基準面５Ａが面一で連続すると共に、基準部側凹部１７と凹部１７Ａとが面一で連続する。言い換えると、枠体基準面５Ａは、本体２に設けた基準面５の一部を構成すると共に、凹部１７Ａは、本体２に設けた基準部側凹部１７の一部を構成する。
【００３９】
前記主電源スイッチ３１がオンであることを条件にして、前記基準面５の対象面１０への当接状態でレーザー光Ｒの照射をオンにすると共に、基準面５の対象面１０への非当接状態でレーザー光Ｒの照射をオフにするスイッチ６１を備え、このスイッチ６１は前記当接状態と前記非当接状態とを検知するための検知手段たる前記当接操作部材５３を備える。また、前記スイッチ６１は、前記当接操作部材５３により作動する作動子６３を有するスイッチ本体６４を備える。
【００４０】
図８に示すように、前記スイッチ本体６４は前記作動子６３を下向きにして回路基板６５に実装され、この回路基板６５は前記電池ケース２２の外面などに固定されている。尚、前記作動子６３は、前記本体２内の左右方向中央に位置し、前記底面４側（下側）に突出するように付勢されている。
【００４１】
図９に示すように、前記当接操作部材５３は、先端を前記底面４側に向けて配置され、その先端の操作底面７０に前記凹部１７Ａと同形の操作凹部７１を有し、この操作凹部７１の左右に平坦な先端縁面７２，７２を有し、これら左右の先端縁面７２，７２は同一平面上に位置し、この平面と前記基準面５，５とは略平行をなす。
【００４２】
図９に示すように、前記当接操作部材５３の左，右の側面７３，７３は、上面３側から底面４側に向かってテーパー状に幅が狭くなるように形成されている。また、図８に示すように、前記当接操作部材５３の前，後の側面７４，７４は、上面３側から底面４側に向かってテーパー状に幅が狭くなるように形成されている。
【００４３】
図７及び図８に示すように、前記当接操作部材５３の基端側（本体２の上面側）には、鍔部７５が周設されている。また、当接操作部材５３の基端側の中央には、前記操作底面７０の上面に、前後方向に長い突条部７６が設けられ、この突条部７６の水平な上面７６Ｊが前記作動子６３の先端を押す。
【００４４】
前記取付枠体５２の前記枠体底面５５には、前記当接操作部材５３の先端側を挿通する挿通孔８１が穿設されており、この挿通孔８１の上部（上面側）は、前記当接操作部材５３の形状に対応して、平面視で略方形をなす。また、前記挿通孔８１の下部（底面側）８１Ｋは、前後に傾斜内面８２，８２を有すると共に、左右に傾斜内面８３，８３を有し、前後の傾斜内面８２，８２は底面４側に向かって間隔が拡大するようにテーパー状に形成され、左右の傾斜内面８３，８３は底面４側に向かって間隔が拡大するようにテーパー状に形成されている。
【００４５】
尚、傾斜内面８２，８３の垂直に対する角度は、３０度〜６０度、好ましくは４０度〜５０度であり、また、前記側面７３，７４の垂直に対する角度は、傾斜内面８２，８３の垂直に対する角度より小さく、３度〜１０度程度である。前記傾斜内面８２，８３の垂直に対する角度が小さ過ぎると、側面７３，７４との間隔が狭くなり、間に異物を挟み易くなり、一方、前記傾斜内面８２，８３の垂直に対する角度が大き過ぎると、挿通孔８１の下端が広くなり、左右の側面６，６の間隔を不必要に広くしなければならないため、上記の範囲とした。
【００４６】
図８に示すように、前記挿通孔８１の上部８１Ｊ周囲の上縁部８４は水平に形成され、この上縁部８４に前記鍔部７５が載置された状態で前記当接操作部材５３が保持される。この状態で、当接操作部材５３の先端が基準面５，５から下に突出すると共に、前記突条部７６の上面７６Ｊと作動子６３の先端とに間に僅かな隙間が形成される。
【００４７】
また、本体２を上下反転し、当接操作部材５３の荷重が作動子６３に加わっても、作動子６３は、スイッチ本体６４の付勢手段（図示せず）により底面４側に付勢されており、その付勢力により作動子６３が動くことがなく、スイッチ本体６４は作動しない。このため当接操作部材５３は、１グラム以下程度であり、作動子６３を作動する重さより軽量である。
【００４８】
一方、本体２の底面４を対象面１０に載置すると、本体２の自重により当接操作部材５３に押されて作動子６３が引っ込むように移動し、スイッチ本体６４が作動し、レーザー光照射部３３をオンにする信号をスイッチ本体６４が発し、この信号により図示しない制御手段がレーザー光照射部３３を作動し、レーザー光Ｒが照射される。また、使用者が例えば縦方向の対象面１０，１０Ａに本体２の底面４を押し当てた場合も、押し当てる力によりスイッチ本体６４が作動する。
【００４９】
一方、本体２を持ち上げて対象面１０から離すと、当接操作部材５３の自重又は／及び作動子６３の付勢力により、当接操作部材５３の先端が基準面５，５から外側に突出してスイッチ本体６４が作動し、レーザー光照射部３３をオフにする信号を発し、レーザー光Ｒの照射が止まる。
【００５０】
従って、スイッチ操作を行うことなく、持ち上げるだけでレーザー光Ｒが自動的に停止する。また、対象面１０に載置していた水平器１が強風や大きな振動により左右に倒れても、レーザー光Ｒの照射が止まる。
【００５１】
また、前記取付枠体５２の前記左右の側面５６，５６の一方である右の側面５６には、透孔８６が穿設されており、この透孔８６に補助スイッチたる側部スイッチ８７の作動部８８が設けられ、この作動部８８を有するスイッチ本体８９が本体２に内蔵されている。前記主電源スイッチ３１がオンであることを条件にして、前記作動部８８を押している間又は接触している間、レーザー光Ｒの照射をオンにし、作動部８８を操作しないと、レーザー光Ｒの照射がオフになるように前記側部スイッチ８７が作動する。
【００５２】
従って、持ち上げた状態で、側部スイッチ８７を操作してレーザー光Ｒを照射し、レーザーポインターとして使用することもできる。尚、前記主電源スイッチ３１がオフの状態で、前記スイッチ本体６４，８９の操作を継続している場合、主電源スイッチ３１をオンにするとレーザー光Ｒが照射される。
【００５３】
そして、主電源スイッチ３１をオフにすれば、本体２を置いたり、側部スイッチ８７の作動部８８に接触したりしても、レーザー光Ｒが照射されることが無い。
【００５４】
また、前記本体２内には、ＬＥＤなどの発光体２９が前記電池ケース２２の反開口部側に取り付けられており、主電源スイッチ３１をオンにすると、前記電池を電源として前記発光体２９が発光し、図示しない導光体により発光体２９の光が前記水平度確知部１４の気泡管１２に導光され、その光により気泡１３が見易くなる。
【００５５】
このように本実施例では、請求項１に対応して、底面４に基準部たる基準面５を有する本体２と、この本体２に設けられた水平度確知部１４と、本体２に設けられレーザー光Ｒを照射するレーザー光照射部３３と、レーザー光Ｒの照射をオン・オフするスイッチ６１とを備えたレーザーポインター付水平器１において、スイッチ６１は、基準面５の対象面１０への当接状態でレーザー光Ｒの照射をオンにすると共に、基準面５の対象面１０への非当接状態でレーザー光Ｒの照射をオフにするから、使用時に本体２の基準面５を対象面１０に当接すると、レーザー光Ｒが照射され、対象面１０から本体２を離すと、レーザー光Ｒの照射が止まるため、レーザー光Ｒが不用意に照射されることがなくなる。
【００５６】
このように本実施例では、請求項２に対応して、スイッチ６１は、基準部たる基準面５が対象部たる対象面１０に当接したことを検知する検知手段たる当接操作部材５３を備えるから、当接操作部材５３により当接状態と非当接状態を検知してレーザー光Ｒのオン・オフを行うことができる。
【００５７】
このように本実施例では、請求項３に対応して、検知手段は、対象部たる対象面１０に当接する当接操作部材５３を備えるから、当接操作部材５３が対象面１０に当接することにより当接状態と非当接状態を検知してレーザー光Ｒのオン・オフを行うことができる。
【００５８】
このように本実施例では、請求項４に対応して、当接操作部材５３は、基準部たる基準面５から外側に突出可能に設けられると共に、基準面５を対象面１０に載置した状態で没するように構成されているから、本体２を対象面１０に載置すると当接操作部材５３が没して当接状態を検知し、本体２を持ち上げると当接操作部材５３の先端が出て非当接状態を検知することができる。
【００５９】
このように本実施例では、請求項５に対応して、底面４に当接操作部材５３を挿通する挿通孔８１を設け、当接操作部材５３が上側から底面４側に向かって幅狭に形成されているから、挿通孔８１に砂などの異物が入り難くなる。
【００６０】
このように本実施例では、請求項６に対応して、底面４に当接操作部材５３を挿通する挿通孔８１を設け、挿通孔８１が上側から底面４側に向かって幅広に形成されているから、挿通孔８１に砂などの異物が入り難くなる。
【００６１】
このように本実施例では、請求項７に対応して、底面４に当接操作部材５３を挿通する挿通孔８１を設け、挿通孔８１の底面４側が上側から底面４側に向かって幅広に形成されているから、一層、挿通孔８１に砂などの異物が入り難くなり、挿通孔８１と当接操作部材５３との間に異物を噛み込み難くなる。
【００６２】
このように本実施例では、請求項８に対応して、本体２の底面４の幅方向両側に基準部たる基準面５，５を設けると共に、これら両側の基準面５，５の間に該基準面５，５の長さ方向の基準部側凹部１７を設け、この基準部側凹部１７を設けた前記底面４に前記貫通孔８１を配置し、当接操作部材５３の先端中央に基準部側凹部１７に対応する凹部１７Ａを設けたから、円弧状などの対象面１０Ａに安定して使用することができる。
【００６３】
以下、実施例上の効果として、前記前面部材８の前記前面２１には、高さ方向中央に主電源スイッチ３１を設けると共に、この主電源スイッチ３１の上下にケース蓋２４とレーザー光通路３２とを集めて配置したから、後面部材９の構成を簡略化できると共に、後面部材９に紐状体４２を連結する貫通孔４１を設けても邪魔にならない。また、開口部２３位置の前面２１と取付状態の摘み蓋部２６の外面とを結ぶ仮想線上又はこの仮想線より内側に主電源スイッチ３１の先端３１Ｓが位置するから、使用中に不用意に主電源スイッチ３１に接触することを防止できる。
【００６４】
また、当接操作部材５３を、スイッチ本体６４の作動子６３により付勢するように構成したから、別途に付勢手段が不要となり、装置の簡略化を図ることができる。さらに、当接操作部材５３は中空形状をなすから、軽量化が図られている。
【実施例２】
【００６５】
図１０は本発明の実施例２を示し、上記実施例１と同一部分に同一符号を付し、その説明を省略して詳述する。同図は、スイッチの変形例を示し、検出手段としてレーザー光や超音波などを用いた非接触式の近接センサ９１を用いている。
【００６６】
具体的には、スイッチ６１Ａの検出手段が計測用レーザー光を用いた近接センサ９１であれば、前記取付枠体５２を設けずに、本体２の底面４の長さ方向中央にセンサ用レーザー光通路９２を穿設し、本体２内に近接センサ９１及びスイッチ本体９３を配置すると共に、前記近接センサ９１から下向きに照射したセンサ用レーザー光が前記センサ用レーザー光通路９２を通過するように構成している。
【００６７】
そして、対象面１０に反射したセンサ測用レーザー光を前記近接センサ９１が受光して対象面１０の位置を検出し、この検出データに基づき前記基準面５が前記対象面１０に当接した状態になったことを検出すると、スイッチ本体９３が作動し、レーザー光照射部３３をオンにする信号を発し、この信号により図示しない制御手段がレーザー光照射部３３を作動し、レーザー光Ｒが照射される。一方、前記検出データに基づき前記基準面５と前記対象面１０とが非接触状態になったことを検出すると、スイッチ本体９３が作動し、レーザー光照射部３３をオフにする信号を発し、レーザー光Ｒの照射が止まる。
【００６８】
このように本実施例では、スイッチ６１Ａは、基準部たる基準面５が対象部たる対象面１０に当接したことを検知する検知手段たる近接センサ９１を備えるから、近接センサ９１により当接状態と非当接状態を検知してレーザー光Ｒのオン・オフを行うことができ、上記実施例１と同様な作用・効果を奏する。
【００６９】
また、この例では、検出手段に非接触式の近接センサ９１を用いることにより、機械的な部品点数を削減することができる。
【実施例３】
【００７０】
図１１は本発明の実施例３を示し、上記各実施例と同一部分に同一符号を付し、その説明を省略して詳述する。同図は、水平度確知部の変形例を示している。
【００７１】
この例の水平器１Ａには、前記気泡式の水平度確知部１４，１４Ａは設けられておらず、重力を用いた指針式の水平度確知部１０１が設けられている。
【００７２】
具体的には、水平度確知部１０１は、前記本体中央部７の上部に円弧状の表示部１０２を突設し、この表示部１０２内に、円弧状の勾配目盛たる角度目盛１０３を設け、この角度目盛１０３は最上部に前記基準面５に垂直な０度点１０４が付されており、この中央の０度点１０４からそれぞれ左右周方向に角度が増加するように角度目盛１０３が付されている。
【００７３】
また、前記角度目盛１０３の中心に中心軸１０５を設け、この中心軸１０５に指針１０６を回動可能に設け、この指針１０６の中心軸１０５位置より下部に錘１０７を設け、重力により指針１０６が垂直上方を指すように構成している。
【００７４】
従って、指針１０６が０度点１０４を指すことにより、当接した対象面１０が水平であることが判る。
【００７５】
このように本実施例では、本体２に設けられた水平度確知部１０１を備えるから、上記各実施例と同様な作用・効果を奏する。
【００７６】
尚、本発明は、本実施例に限定されるものではなく、本発明の要旨の範囲内で種々の変形実施が可能である。例えば、実施例では、凹部１７，１７Ａ，７１がＶ字状のものを示したが、Ｕ字状などでもよく、形状は適宜選定可能である。また、電源として乾電池を例示したが、電源として充電池や太陽パネルなどを用いたり、或いはそれらの組み合わせでもよい。さらに、実施例では、当接操作部材及び貫通孔は、前後の側面がテーパー状をなし、左右の側面がテーパー状をなすものを示したが、４つの側面のいずれか１つが傾いていればよく、前後の側面と左右の側面のいずれかの組がテーパー状をなしていることが好ましい。また、実施例では平面視で方形の当接操作部材を示したが、当接操作部材を有底な円柱状に形成するなど形状は適宜選定可能であり、形状が異なる場合も操作凹部を設けることが好ましい。さらに、実施例では、気泡式と指針式の水平器を例示したが、本発明はデジタル式などの各種の水平器に適用可能である。
【符号の説明】
【００７７】
１  水平器
１Ａ  水平器
２  本体
３  上面
４  底面
５  基準面（基準部）
６  側面
１０  対象面（平面）
１０Ａ  対象面（円弧状）
１４  水平度確知部
１４Ａ  水平度確知部
１７  基準部側凹部
１８  斜辺部
１９  角部
３１  主電源スイッチ
３３  レーザー光照射部
５１  切欠き部
５３  当接操作部材（検出手段）
６１  スイッチ
６１Ａ  スイッチ
６３  作動子
６４  スイッチ本体
８１  挿通孔
８２  前後の傾斜内面
８３  左右の傾斜内面
９１  近接センサ（検出手段）
９３  スイッチ本体
１０１  水平度確知部
Ｒ  レーザー光
【図１】
2019174213.tif 000003
【図２】
2019174213.tif 000004
【図３】
2019174213.tif 000005
【図４】
2019174213.tif 000006
【図５】
2019174213.tif 000007
【図６】
2019174213.tif 000008
【図７】
2019174213.tif 000009
【図８】
2019174213.tif 000010
【図９】
2019174213.tif 000011
【図１０】
2019174213.tif 000012
【図１１】
2019174213.tif 000013